(57)【要約】【課題】複数個の冷凍品でも単体の冷凍品でもその厚みに応じて伸縮でき、冷凍室内に１個でも多数個でも冷凍品を収まり良く保管することができ、またスペース効率良く保管することができる収納補助具を提供する。【解決手段】  本発明は、冷蔵庫や冷凍庫の冷凍室１１に冷凍品３０を保管するのに使用する収納補助具２０であって、左右の側面２３それぞれが蛇腹状で、冷凍品３０の厚みに応じて伸縮できるようにすること様々な厚みの冷凍品３０を保管できることを特徴とする。【選択図】    図４
2015215097.tif 000002
【特許請求の範囲】
【請求項１】
冷蔵庫、冷凍庫の冷蔵室や冷凍室に要冷蔵物品又は要冷凍物品を保管するための容器であって、左右の側面それぞれが蛇腹状で、要冷蔵物品又は要冷凍物品の厚みに応じて伸縮できるようにした収納補助具。
【請求項２】
上面と底面とが共に開口した、蛇腹状で四角い無蓋、無底の容器にて構成したことを特徴とする請求項１に記載の収納補助具。
【請求項３】
上面が開口し、前記両側面と共に底面も伸縮可能な蛇腹面にした、四角い無蓋有底の容器にて構成したことを請求項１に記載の収納補助具。
【発明の詳細な説明】
【技術分野】
【０００１】
本発明は、冷蔵庫や冷凍庫の冷蔵室や冷凍室に組み入れて使用する収納補助具に関する。
【背景技術】
【０００２】
一般に家庭用の冷蔵庫に備えられている冷凍室は、前面に設けられている冷凍室扉を使用者から見て手前に引き出した場合、その冷凍室は上面が開口した箱体になっている。また店舗で冷凍品を販売するための冷凍庫の冷凍室も上面が開口した箱体となっている。
【０００３】
一方、大部分の冷凍品、特にレトルト食品のような冷凍品は扁平な四角いパックにされている。そのため、厚みの薄い側面を下側にして自立させることはできない。そのため、多数個の冷凍品を上記のような冷凍室に保管する場合、商品のロゴや内容物の写真等が印刷されている広い表面を上にして冷凍室の底から何段にも積み重ねる形で保管している。そのために、冷凍室の底の方に保管されている冷凍品のロゴやラベルを上から直接見ることができず、底の方にある冷凍品の種類を確認するためには上側に何段にも積み上げられている冷凍品を横にずらすか持ち上げなければならない手間が要っていた。また、何段にも積み上げられた冷凍品における、下方に位置する冷凍品を抜き出すのに手間がかかるという問題点もあった。
【０００４】
他方、冷凍室に厚みが薄くて自立できないような冷凍品を立てて前後に並べるように保管するためには、冷凍室内に何枚かの仕切り板を左右に渡し、前後が狭く仕切られた空間に冷凍品を立てて保管する方法も考えられる。しかしながら、そのような方法で保管する場合、冷凍品の厚みが仕切られた空間の前後幅よりも小さいとその冷凍品が前後の仕切り板の間で斜めに倒れてしまうことがあり、収まりが悪い。また１つの仕切られた空間に何個からの冷凍品を前後に厚み方向に立てて並べた状態で保管しようとした場合、複数個の冷凍品のトータルの厚みが仕切り空間の前後幅内にぴったりと合わず、やはり冷凍品が存在しない無駄なスペースが発生してしまい、冷凍品が斜めになったり倒れてしまったりする場合がある。
【先行技術文献】
【特許文献】
【０００５】
【特許文献１】特表２００８−５２５２８２号公報
【特許文献２】特開２００５−１０４５６７号公報
【発明の概要】
【発明が解決しようとする課題】
【０００６】
本発明は上記従来技術の課題に鑑みてなされたもので、複数個の冷凍品でも単体の冷凍品でもその厚みに応じて伸縮でき、冷凍室内に１個でも多数個でも冷凍品を収まり良く保管することができ、またスペース効率良く保管することができる収納補助具を提供することを目的とする。
【課題を解決するための手段】
【０００７】
本発明は、冷蔵庫、冷凍庫の冷蔵室や冷凍室に要冷蔵物品又は要冷凍物品を保管するための容器であって、左右の側面それぞれが蛇腹状で、冷凍品の厚みに応じて伸縮できるようにした収納補助具を特徴とする。
【図面の簡単な説明】
【０００８】
【図１】本発明の第１の実施の形態の収納補助具の斜視図。
【図２】上記実施の形態の収納補助具を左右方向２連に並べた状態の斜視図。
【図３】上記実施の形態の収納補助具を冷蔵庫の冷凍室引き出し内に左右に並べて使用している状態の斜視図。
【図４】上記実施の形態の収納補助具を冷蔵庫の冷凍室引き出し内に左右に並べて使用している状態の平面図。
【図５】上記実施の形態の収納補助具を左右に並べた状態の底面側から見た斜視図。
【図６】本発明の第２の実施の形態の収納補助具を左右に並べた状態の底面側から見た斜視図。
【発明を実施するための形態】
【０００９】
以下、本発明の実施の形態を図に基づいて詳説する。
【００１０】
［第１の実施の形態］
図１、図５に示すように、第１の実施の形態の収納補助具２０は、無蓋、無底の前後左右の四角な枠体で構成されている。この収納補助具２０は、平らな前面壁部２１、後面壁部２２、そしてこれらの前面壁部２１、後面壁部２２の左右端部間それぞれを連結する蛇腹状の側面壁部２３で構成されている。この収納補助具２０の素材には、冷凍温度でも損傷を受けないポリプロピレン（ＰＰ）、ポリエチレンテレフタレート（ＰＥＴ）のシート、防水紙等を使用することができる。蛇腹状の側面壁部２３は折り畳み、展開が自在であり、かつ、各折れ目部分が内部に挿入する冷凍品３０の厚みに応じて他の折れ目部分とは独立に広い幅あるいは狭い幅に展開できる。そして使用しないときには、蛇腹状の側面壁部２３を折り畳むことにより全体として薄く平板状にして保管しておくことができる。
【００１１】
上記構成の収納補助具２０の使用例について、図２〜図５を用いて説明する。冷蔵庫１の冷凍室に冷凍室引き出し１１が備えられている。１２は冷凍室引き出しドアである。この冷凍室引き出し１１の容積、サイズに応じて利用できる収納補助具２０の数は変化するが、本実施の形態では２体の収納補助具２０を左右に並べて収容できる容積としている。尚、左右どちらか片側だけに１体の収納補助具２０を収容する使い方もある。さらに、容器２０の容積に応じて、複数体を前後に並べて使用する使用態様や、前後左右に複数体を並べて使用する使用態様も可能である。
【００１２】
図２、図５に示すように２体の収納補助具２０を冷凍室引き出し１１に左右に並ぶように収容した場合、図３、図４に示すように、それぞれの収納補助具２０内に種々の厚みのある冷凍品３０をそれらの厚み方向の薄い幅の側面を下面にして挿入する。図４の保管状態では、冷凍品３０−５がいちばん厚みの大きいもの、冷凍品３０−１は次に厚みが大きいもの、冷凍品３０−２，３０−３はその次に厚みの大きいもの、そして冷凍品３０−４は厚みのいちばん薄いものである。このように、冷凍品の厚みの大小に応じて、蛇腹状の側面壁部２３の各折れ目の開き角度を個別に大きくしたり小さくしたりすることにより、複数種の冷凍品３０をそれらの厚みの大小によらずそれらの左右端部を側面壁部２３の折れ目部分に接触させた状態で支持し、各冷凍品３０を厚み方向に並べて保管することができる。また、冷凍品３０がなくなれば、空になった収納補助具２０を冷凍室引き出し１１から取り出して冷蔵庫１外の場所に保管しておくこともできる。
【００１３】
本実施の形態の収納補助具２０は表面壁部２１、後面壁部２２、左右の側面壁部２３だけで無蓋、無底の四角な枠体状のものであるが、冷凍室引き出し１１側には必ず底があるので、冷凍品３０を厚み方向の幅の薄い側面を下面にして立てた状態で倒れないように支持することができれば、特にこの収納補助具２０側に底がなくても支障なく使用することができる。
【００１４】
このように、本実施の形態の収納補助具２０によれば、冷凍室に入れてその中に冷凍品を厚み方向の幅の薄い側面を下面にして立てて保管するのに適しており、冷凍品の厚みに大小があっても蛇腹部分の開き角度を個別に大小調節することによって厚みが大小異なるそれぞれの冷凍品に対応することができ、種々の厚みの冷凍品を同時に整然と厚み方向に並べて冷凍室内に保管できる。また蛇腹状であるために、空になった部分は深く折り曲げることによって伸縮方向の寸法を小さくして、冷凍室の当該収納補助具の外の空き容積を広くすることができ、不必要に冷凍室を占有することがない利点もある。加えて、本実施の形態の場合、無蓋、無底の四角な枠体で構成しているので、構造がきわめて簡素であり、その分、製造コストが低くでき、低廉に提供できる。
【００１５】
［第２の実施の形態］
図６に第２の実施の形態の収納補助具２０を示している。本実施の形態の特徴は、第１の実施の形態に対して、収納補助具２０を無蓋、有底の四角な容器としたことである。つまり、図６に示すように、この収納補助具２０は、平らな前面壁部２１、後面壁部２２、これらの前面壁部２１、後面壁部２２の左右端部間それぞれを連結する蛇腹状の側面壁部２３、そして蛇腹状の底面部２４で構成されている。
【００１６】
この収納補助具２０の素材は第１の実施の形態のものと同様である。そして蛇腹状の側面壁部２３、底面部２４は同時に伸縮が可能であり、かつ、各折れ目部分を内部に挿入する冷凍品３０の厚みに応じて広い角度あるいは狭い角度に展開できる。そして使用しないときには、蛇腹状の側面壁部２３、底面部２４を同時に折り畳むことにより全体として薄く平板状にして保管しておくことができる。尚、図６では２体の収納補助具２０を左右に並べた状態を示しているが、単体で冷凍室引き出し１１に入れて使用することも当然にできるものである。
【００１７】
本実施の形態の収納補助具２０にあっても、第１の実施の形態と同様に、図３、図４に示した態様にて冷蔵庫１の冷凍室引き出し１１に差し入れ、厚みに大小がある冷凍品３０を立てた状態で保管することができる。加えて、本実施の形態の場合、有底であるために冷凍品３０が底から抜け落ちることがない。そのため、冷凍室引き出し１１から収納補助具２０を外に出しておき、その中に必要な個数の冷凍品３０それぞれを立てた状態で挿入し、その後、容器ごと冷凍室引き出し１１に収納するような使い方ができ、利便性がある。
【００１８】
尚、上記実施の形態では冷蔵庫の冷凍室の冷凍室引き出し１１に挿入して冷凍品３０を保管する場合について説明したが、本発明の収納補助具は引き出しがなく、冷凍室そのものが冷凍品保管スペースになっている店舗用の冷凍庫に対してはその冷凍室に直接に挿入して使用することもできる。また、使用する収納補助具のサイズも使用する冷凍室のサイズ、容積に応じた適切な大きさのものに変更することができる。使用する個数も調節することができる。
【００１９】
また、これまでの説明では冷凍品（要冷凍物品）を冷凍室に保管する場合について詳細に述べたが、要冷蔵物品を引き出し式の冷蔵室にも適用することができる。すなわち、保管する物品は要冷凍物品に限定されず、冷蔵室で保管する要冷蔵物品を冷蔵室で保管する場合にも本願の収納補助具を適用できる。
【００２０】
さらに、冷凍品は一度で中身の全てを使い切るとは限らず、一部を使用して残りは再度冷凍室で保管する場合がある。このような場合、開口部を密封可能な袋状の既製品に移し替えて保管する場合がある。本発明の収納補助具２０であれば、このような保管対象となるものを既製品の袋状のものに移し替えた場合であっても、袋状のものを冷凍品３０と同様に保管することができる。すなわち、要冷蔵物品又は要冷凍物品は、市販されているパッケージ商品に限定されるものではなく、パッケージから移し替えた物品も含まれるものである。また、肉類、野菜類を刻んでパックに入れて冷凍保存したり、調理した食品をパックに入れて冷凍保存したりする場合にも、利用できる。
【符号の説明】
【００２１】
１  冷蔵庫
１１  冷凍室引き出し
２０  収納補助具
２１  前面壁部
２２  後面壁部
２３  側面壁部
２４  底面部
３０  冷凍品
【図１】
2015215097.tif 000003
【図２】
2015215097.tif 000004
【図３】
2015215097.tif 000005
【図４】
2015215097.tif 000006
【図５】
2015215097.tif 000007
【図６】
2015215097.tif 000008